【手続補正書】
【提出日】平成29年1月12日(2017.1.12)
【手続補正１】
【補正対象書類名】明細書
【補正対象項目名】発明の名称
【補正方法】変更
【補正の内容】
【発明の名称】色変化部材、発光装置、表示装置および電子機器
【手続補正２】
【補正対象書類名】明細書
【補正対象項目名】００３３
【補正方法】変更
【補正の内容】
【００３３】
第２保護層３２は、カラーフィルタ層ＣＦの側面Ｐ３すなわち側壁部を構成すると共に、カラーフィルタ層ＣＦ中の残留溶剤や脱ガス成分の水平方向（隣接するカラーフィルタ層ＣＦに向かう方向）への拡散を抑え、隣接するカラーフィルタ層ＣＦとのミキシングを抑えるバリア層である。第２保護層３２は、例えば、第１保護層３１と同様に、窒化シリコン（ＳｉＮ）膜、酸化窒化シリコン（ＳｉＯＮ）膜、酸化アルミニウム膜（Ａｌ２ Ｏ３ ）などの透過率が高く、パッシベーション性の高い透明無機材料膜により構成されていることが好ましい。なお、図３は、第２保護層３２がカラーフィルタ層ＣＦの側面Ｐ３の全部に設けられている場合を表しているが、第２保護層３２は、カラーフィルタ層ＣＦの側面Ｐ３の少なくとも一部に設けられていればよい。
【手続補正３】
【補正対象書類名】明細書
【補正対象項目名】００３５
【補正方法】変更
【補正の内容】
【００３５】
このように、カラーフィルタ層ＣＦの光入射面Ｐ１，光出射面Ｐ２および側面Ｐ３を第１保護層３１，第２保護層３２および第３保護層３３で覆うことにより、カラーフィルタ層ＣＦ中の残留溶剤や脱ガス成分を、第１保護層３１，第２保護層３２および第３保護層３３で囲まれた一定空間内に閉じ込めることが可能となる。よって、後述する有機層２３、特に発光層２３Ｃの劣化のおそれがあり、カラーフィルタ層ＣＦの高温での熱硬化が難しく、カラーフィルタ層ＣＦが未硬化またはカラーフィルタ層ＣＦの硬化が不足している場合においても、カラーフィルタ層ＣＦ中の残存溶剤や脱ガス成分の拡散に起因する、隣接するカラーフィルタ層ＣＦとのミキシング、封止樹脂層４１の劣化、脱ガスの拡散による封止樹脂層４１の剥がれ、有機層２３の劣化などの不良を抑え、信頼性低下を抑えることが可能となる。
【手続補正４】
【補正対象書類名】明細書
【補正対象項目名】００５１
【補正方法】変更
【補正の内容】
【００５１】
電子輸送層２３Ｄの材料としては、優れた電子輸送能を有する有機材料を用いることが好ましい。発光層２３Ｃの電子輸送効率を高めることにより、電界強度による発光色の変化が抑制される。具体的には、例えばアリールピリジン誘導体およびベンゾイミダゾール誘導体などを用いることが好ましい。これにより、低い駆動電圧でも高い電子の供給効率が維持されるからである。電子注入層２３Ｅの材料としては、アルカリ金属，アルカリ土類金属，希土類金属およびその酸化物，複合酸化物，フッ化物，炭酸塩等が挙げられる。
【手続補正５】
【補正対象書類名】明細書
【補正対象項目名】００５３
【補正方法】変更
【補正の内容】
【００５３】
第１層２４Ａは、仕事関数が小さく、且つ、光透過性の良好な材料により形成されることが好ましい。具体的には、例えばカルシウム（Ｃａ），バリウム（Ｂａ）等のアルカリ土類金属、リチウム（Ｌｉ），セシウム（Ｃｓ）等のアルカリ金属、インジウム（Ｉｎ），マグネシウム（Ｍｇ），銀（Ａｇ）が挙げられる。更に、Ｌｉ2Ｏ，Ｃｓ2Ｃｏ3，Ｃｓ2ＳＯ4，ＭｇＦ，ＬｉＦやＣａＦ2等のアルカリ金属酸化物，アルカリ金属フッ化物，アルカリ土類金属酸化物，アルカリ土類フッ化物が挙げられる。
【手続補正６】
【補正対象書類名】明細書
【補正対象項目名】００６３
【補正方法】変更
【補正の内容】
【００６３】
ここでは、色変化部材３０のカラーフィルタ層ＣＦの光入射面Ｐ１に第１保護層３１を設け、カラーフィルタ層ＣＦの側面Ｐ３の少なくとも一部に第２保護層３２を設けるようにしている。よって、有機層２３、特に発光層２３Ｃの劣化のおそれがあり、カラーフィルタ層ＣＦの高温での熱硬化が難しく、カラーフィルタ層ＣＦが未硬化またはカラーフィルタ層ＣＦの硬化が不足している場合においても、カラーフィルタ層ＣＦ中の残存溶剤や脱ガス成分の拡散に起因する、隣接するカラーフィルタ層ＣＦとのミキシング、有機層２３の劣化などの不良を抑え、信頼性低下を抑えることが可能となる。
【手続補正７】
【補正対象書類名】明細書
【補正対象項目名】０１７５
【補正方法】変更
【補正の内容】
【０１７５】
そののち、図６９に示したように、第１保護層３１および下部第２保護層３２Ｇの上に、ネガ形フォトレジストを用いて赤色フィルタＣＦＲを形成する。
【手続補正８】
【補正対象書類名】明細書
【補正対象項目名】０１８０
【補正方法】変更
【補正の内容】
【０１８０】
（第１１の実施の形態）
図７２は、本開示の第１１の実施の形態に係る表示装置１００Ｊにおいて、隣接する三つの画素ＰＸの概略断面構成を表したものである。この表示装置１００Ｊは、色変化部材３０の上の封止樹脂層４１および封止基板４２を省略したことを除いては、上記第１の実施の形態に係る表示装置１００と同様の構成を有している。これにより、本実施の形態では、色変化部材３０により発光素子２０を保護しながら、そのままパッケージ形態として表示装置１００やその他の電子機器に搭載することが可能となり、小型化・薄型化への貢献が可能となる。
【手続補正９】
【補正対象書類名】明細書
【補正対象項目名】０１８４
【補正方法】変更
【補正の内容】
【０１８４】
（発光素子２０の変形例）
なお、以上の実施の形態では、図４に示したように、発光層２３Ｃが、赤色発光層２３ＣＲ、青色発光層２３ＣＢ、および緑色発光層２３ＣＧの積層構造をもつ白色発光層であり、発光層２３Ｃからの発生した白色光ＬＷが、カラーフィルタ層ＣＦ（赤フィルタＣＦＲ，緑フィルタＣＦＧ，青フィルタＣＦＢ）により赤色光ＬＲ，緑色光ＬＧおよび青色光ＬＢに色分離される場合について説明した。
【手続補正１０】
【補正対象書類名】明細書
【補正対象項目名】０１８７
【補正方法】変更
【補正の内容】
【０１８７】
あるいは、有機層２３は、例えば図７４に示したように、アノード電極２１側から順に、正孔注入層２３Ａ，正孔輸送層２３Ｂ，発光層２３Ｃ（黄色発光層２３ＣＹ，青色発光層２３ＣＢ），電子輸送層２３Ｄおよび電子注入層２３Ｅを積層した構成を有していてもよい。この場合には、黄色発光層２３ＣＹは、黄色光ＬＹを発生する。黄色光ＬＹは、カラーフィルタ層ＣＦ（赤フィルタＣＦＲ，緑フィルタＣＦＧ）により赤色光ＬＲおよび緑色光ＬＧに色分離される。
【手続補正１１】
【補正対象書類名】明細書
【補正対象項目名】０１９１
【補正方法】変更
【補正の内容】
【０１９１】
（適用例１）
図７６および図７７は、上記実施の形態の表示装置が適用される撮像装置（レンズ交換式一眼レフレックスタイプのデジタルカメラ）の外観を表したものである。この撮像装置４１０は、例えば、カメラ本体部（カメラボディ）４１１の正面右側に交換式の撮影レンズユニット（交換レンズ）４１２を有し、正面左側に撮影者が把持するためのグリップ部４１３を有している。カメラ本体部４１１の背面略中央にはモニタ４１４が設けられている。モニタ４１４の上部には、ビューファインダ（接眼窓）４１５が設けられている。撮影者は、ビューファインダ４１５を覗くことによって、撮影レンズユニット４１２から導かれた被写体の光像を視認して構図決定を行うことが可能である。このビューファインダ４１５は、上記実施の形態に係る表示装置により構成されている。
【手続補正１２】
【補正対象書類名】図面
【補正対象項目名】図２７
【補正方法】変更
【補正の内容】
【図２７】
2015187635.tif 000001
【手続補正１３】
【補正対象書類名】図面
【補正対象項目名】図４６
【補正方法】変更
【補正の内容】
【図４６】
2015187635.tif 000002
【手続補正１４】
【補正対象書類名】図面
【補正対象項目名】図４７
【補正方法】変更
【補正の内容】
【図４７】
2015187635.tif 000003